(57)【要約】  部品数の削減によるコスト節減と組立工程の簡略化による生産時間の短縮とを目的とするディスペンサ容器は、内容物を貯蔵する容器本体と、容器本体の内容物を外部に排出するポンピング部材と、ユーザの操作による圧力でポンピング部材を作動させるボタン部材とを有し、前記ポンピング部材は、中央にシリンダを具備するポンプハウジングと、ボタン部材と一緒に昇降し内容物移動通路、およびその下部に内容物移動ホール持つピストンロッドと、前記ピストンロッドを覆い、前記ボタン部材の昇降時、前記シリンダの内壁に沿って移動してシリンダ内部の圧力を変化させ、かつ、前記ボタン部材の加圧によるピストンロッドの下降時、ピストンロッドの外周面から小幅に離間され、内容物移動ホールを開栓する開閉チップを持つ軟質シールキャップと、前記ボタン部材に上方への弾性力を提供する弾性体と、を含む。【選択図】図２
2017528640.tif 000002
【特許請求の範囲】
【請求項１】
内容物を貯蔵する容器本体と、前記容器本体の上部に結合され、ポンピングによって前記容器本体に貯蔵された内容物を外部に排出させるポンピング部材と、前記ポンピング部材の上部に位置し、ユーザの操作による圧力を前記ポンピング部材に伝えてポンピングを誘起し、内容物を排出するように排出ホールが形成されたボタン部材と、で構成されるディスペンサ容器であって、
前記ポンピング部材は、
前記容器本体の上部に結合され、中央にシリンダを具備するポンプハウジングと、
上部が前記ボタン部材の内側に結合され、下部は前記シリンダの内側に位置し、前記ボタン部材の昇降に伴って一緒に移動し、その内側に内容物が移動するように内容物移動通路が形成され、前記内容物移動通路に内容物が移動することができるように、下部に内容物移動ホールが形成されたピストンロッドと、
前記ピストンロッドを覆う位置にあり、前記ボタン部材の昇降時、前記シリンダの内壁に沿って移動して前記シリンダ内部の圧力を変化させ、かつ、前記ボタン部材の加圧による前記ピストンロッドの下降時、前記ピストンロッドの外周面から小幅に離間されて、前記内容物移動ホールを開栓する開閉チップを具備する、軟質のシールキャップと、
前記ボタン部材が上方に移動するように弾性力を提供する弾性体と、を含む
ことを特徴とするディスペンサ容器。
【請求項２】
前記ボタン部材には、前記ピストンロッドが結合される結合部が形成され、
前記結合部は、前記ボタン部材の下降時に、前記シールキャップを加圧し、該シールキャップの下方への移動を誘導し、内容物が前記内容物移動通路を通って前記排出ホールに移動するように、前記内容物移動通路と前記排出ホールとを連通させる
ことを特徴とする、請求項１に記載の、ディスペンサ容器。
【請求項３】
前記ポンプハウジングの上端には、前記弾性体の下端を受支する受支溝が形成され、前記ボタン部材の内側には、前記弾性体の上端を固定する嵌入溝が形成される
ことを特徴とする、請求項１に記載の、ディスペンサ容器。
【請求項４】
内容物を貯蔵する容器本体と、前記容器本体の上部に結合され、ポンピングによって前記容器本体に貯蔵された内容物を外部に排出させるポンピング部材と、前記ポンピング部材の上部に位置し、ユーザの操作による圧力を前記ポンピング部材に伝えてポンピングを誘起し、内容物を排出するように排出ホールが形成されたボタン部材と、で構成されるディスペンサ容器であって、
前記ポンピング部材は、
前記容器本体の上部に結合され、中央にシリンダを具備するポンプハウジングと、
上部が前記ボタン部材の内側に結合され、下部は前記シリンダの内側に位置し、前記ボタン部材の昇降に伴って一緒に移動するピストンロッドと、
前記ピストンロッドを覆う位置にあり、前記ボタン部材の昇降時、前記シリンダの内壁に沿って移動して前記シリンダ内部の圧力を変化させ、かつ、前記ボタン部材の加圧による前記ピストンロッドの下降時、前記ピストンロッドの外周面から小幅に離間される開閉チップを具備する、軟質のシールキャップと、
前記ボタン部材が上方に移動するように弾性力を提供する弾性体と、を含み、
前記ボタン部材の加圧時に、前記シリンダに流入した内容物が、前記排出ホールに移動することができるように、前記シールキャップと前記ピストンロッドの間に内容物移動通路が形成される
ことを特徴とするディスペンサ容器。
【請求項５】
前記ボタン部材の内側には、前記シールキャップの上部が昇降する空間が形成され、前記内容物移動通路と前記排出ホールとを連通させる連通管が具備される
ことを特徴とする、請求項４に記載の、ディスペンサ容器。
【請求項６】
前記シールキャップの上部は、前記内容物移動通路を通って前記排出ホールへ移動する内容物の液漏れを防止するように、前記連通管の内周面に密着した状態で昇降するピストン構造で形成される
ことを特徴とする、請求項５に記載の、ディスペンサ容器。
【請求項７】
前記ボタン部材には、前記ピストンロッドが結合される結合部が形成され、前記結合部は、前記ボタン部材の下降時に、前記シールキャップを加圧して、前記シールキャップの下方への移動を誘導し、
前記排出ホールの側に位置する前記結合部の前面部の長さが短く形成され、内容物の排出時に排出の障害になることを防止するように構成される
ことを特徴とする、請求項４に記載の、ディスペンサ容器。
【請求項８】
前記シールキャップの上部には、前記結合部によって加圧される加圧面が形成される
ことを特徴とする、請求項７に記載の、ディスペンサ容器。
【請求項９】
前記ポンプハウジングの内周面には、前記シールキャップの上昇を制限する係止部が形成され、前記シールキャップの外周面には、前記係止部によって係止される係止突起が具備される
ことを特徴とする、請求項１〜５に記載の、ディスペンサ容器。
【発明の詳細な説明】
【技術分野】
【０００１】
本発明は、ディスペンサ容器に関し、より詳細には、ポンピング部材の構造を改善し、部品数の削減によるコスト節減が可能なだけでなく、組立工程の削減によって、全体的な生産時間を短縮することが可能なディスペンサ容器に関する。
【背景技術】
【０００２】
一般的に、ディスペンサ容器は、ポンピング部材のポンピングによって内容物を排出するように構成され、このようなディスペンサ容器が韓国登録特許第１０−０４５６８１４号（以下、特許文献１と呼ぶ）に開示されている。
【０００３】
前記特許文献１が開示するディスペンサ容器は、容器１の開口部に結合されるスクリューキャップ２と、このスクリューキャップ２の上端に昇降可能に具備され、ノズル４が形成されたボタン３と、ノズル４と連通するようにボタン３の下部に結合されたステム６と、上端部はスクリューキャップ２に結合され、下端部の開口部１５にはチェックバルブ１４を具備したシリンダハウジング１０と、シリンダハウジング１０に昇降可能にステム６の下端に結合されたピストン９と、ピストン９の周囲に結合されるシーリング部材１２と、を含むディスペンサポンプを有し、該ディスペンサポンプに、ステム６の上部に挟まれ、上部ストッパー２１によって位置が規制される上部リング部材２２と、ステム６の下部に挟まれ、ピストン９の上部に配置される下部リング部材２４とをさらに含み、上部リング部材２２と下部リング部材２４とは、スプリング８によって弾設されることが特徴である。
【０００４】
上記のような構成で形成したディスペンサ容器は、ステム６、ピストン９、シリンダハウジング１０、および、シーリング部材１２等の多くの部品でポンピング部材が構成されることになり、部品数によるコスト増加はもちろん、多くの部品の組立工程が複雑で、全体的な生産時間が増加するという問題があった。
【先行技術文献】
【特許文献】
【０００５】
【特許文献１】韓国登録特許第１０−０４５６８１４号
【発明の概要】
【発明が解決しようとする課題】
【０００６】
本発明は、上述した問題点を解決するために創作されたもので、本発明の目的は、ポンピング部材の構造を改善し、部品数の削減によるコスト節減が可能なだけでなく、組立工程の簡略化により、全体的な生産時間を短縮することが可能なディスペンサ容器を提供することである。
【課題を解決するための手段】
【０００７】
前記のような問題点を解決するために、本発明の好ましい実施形態によるディスペンサ容器は、内容物を貯蔵する容器本体と、前記容器本体の上部に結合され、ポンピングによって前面部容器本体に貯蔵された内容物を外部に排出するポンピング部材と、前記ポンピング部材の上部に位置し、ユーザの操作による圧力を前記ポンピング部材に伝えてポンピングを誘起し、内容物を排出するように排出ホールが形成されたボタン部材と、で構成され、前記ポンピング部材は、前記容器本体の上部に結合され、中央にシリンダを具備するポンプハウジングと、上部が前記ボタン部材の内側に結合され、下部は前記シリンダの内側に位置し、前記ボタン部材の昇降に伴って一緒に移動し、その内側に内容物が移動するように内容物移動通路が形成され、前記内容物移動通路に内容物が移動することができるように、下部に内容物移動ホールが形成されたピストンロッドと、前記ピストンロッドを覆う位置にあり、前記ボタン部材の昇降時、前記シリンダの内壁に沿って移動して前記シリンダ内部の圧力を変化させ、前記ボタン部材の加圧によるピ前記ストンロッドの下降時、前記ピストンロッドの外周面から小幅に離間され、前記内容物移動ホールを開栓する開閉チップを具備する軟質のシールキャップと、前記ボタン部材が上方に移動するように弾性力を提供する弾性体と、を含むことを特徴とする。
【０００８】
前記ボタン部材には、前記ピストンロッドが結合される結合部が形成され、前記結合部は、前記ボタン部材の下降時に、前記シールキャップを加圧し、前記シールキャップの下方への移動を誘導し、前記内容物が前記内容物移動通路を通って前記排出ホールに移動するように、前記内容物移動通路と前記排出ホールとを連通させることを特徴とする。
【０００９】
また、前記ポンプハウジングの上端には、前記弾性体の下端を受支する受支溝が形成され、前記ボタン部材の内側には、前記弾性体の上端を固定する嵌入溝が形成されることを特徴とする。
【００１０】
一方、本発明の他の実施形態によるディスペンサ容器は、内容物を貯蔵する容器本体と、前記容器本体の上部に結合され、ポンピングによって前記容器本体に貯蔵された内容物を外部に排出させるポンピング部材と、前記ポンピング部材の上部に位置し、ユーザの操作による圧力を前記ポンピング部材に伝えてポンピングを誘起し、内容物を排出するように排出ホールが形成されたボタン部材と、で構成されるディスペンサ容器であって、前記ポンピング部材は、前記容器本体の上部に結合され、中央にシリンダを具備するポンプハウジングと、上部が前記ボタン部材の内側に結合され、下部は前記シリンダの内側に位置して、前記ボタン部材の昇降に伴って一緒に移動するピストンロッドと、前記ピストンロッドを覆う位置にあり、前記ボタン部材の昇降時、前記シリンダの内壁に沿って移動し、前記シリンダ内部の圧力を変化させ、前記ボタン部材の加圧による前記ピストンロッドの下降時、前記ピストンロッドの外周面から小幅に離間されるように開閉チップを具備する軟質のシールキャップと、前記ボタン部材が上方に移動するように弾性力を提供する弾性体と、を含み、前記ボタン部材の加圧時に、前記シリンダに流入した内容物が、前記排出ホールに移動することができるように、前記シールキャップと前記ピストンロッドの間に内容物移動通路が形成されることを特徴とする。
【００１１】
また、前記ボタン部材の内側には、前記シールキャップの上部が昇降する空間が形成され、前記内容物移動通路と前記排出ホールを連通させる連通管を具備することが特徴である。
【００１２】
また、前記シールキャップの上部は、前記内容物移動通路を通って前記排出ホールへ移動する内容物の液漏れを防止するように、前記連通管の内周面に密着した状態で昇降するピストン構造で形成されることを特徴とする。
【００１３】
また、前記ボタン部材には、前記ピストンロッドが結合される結合部が形成され、前記結合部は前記ボタン部材の下降時に、前記シールキャップを加圧してシールキャップの下方への移動を誘導し、前記排出ホールの側に位置する結合部の前面部の長さが短く形成され、内容物の排出時に排出の障害になることを防止するように構成されることを特徴とする。
【００１４】
また、前記シールキャップの上部には、前記結合部によって加圧される加圧面が形成されることを特徴とする。
【００１５】
また、前記ポンプハウジングの内周面には、前記シールキャップの上昇を制限する係止部が形成され、前記シールキャップの外周面には、前記係止部によって係止される係止突起が具備されることを特徴とする。
【発明の効果】
【００１６】
以上のように、本発明によれば、ポンピング部材の構造を改善し、部品数の減少によるコスト節減が可能なだけでなく、組立工程の簡略化によって、全体的な生産時間を短縮させることができるという効果がある。
【図面の簡単な説明】
【００１７】
【図１】本発明の好ましい実施形態によるディスペンサ容器の構成を示す分解斜視図である。
【図２】本発明の好ましい実施形態によるディスペンサ容器の構成を示す断面図である。
【図３】本発明の好ましい実施形態によるディスペンサ容器の作動状態を示す状態図である。
【図４】本発明の好ましい実施形態によるディスペンサ容器の作動状態を示す状態図である。
【図５】本発明の他の実施形態によるディスペンサ容器の構成を示す断面図である。
【図６】本発明の他の実施形態によるディスペンサ容器の作動状態を示す状態図である。
【図７】本発明の他の実施形態によるディスペンサ容器の作動状態を示す状態図である。
【発明を実施するための形態】
【００１８】
以下、図面を参照して、本発明を詳細に説明する。各図面に記載された同一の参照符号は同一の部材を示す。
【００１９】
図１は、本発明の好ましい実施形態によるディスペンサ容器の構成を示す分解斜視図であり、図２は、本発明の好ましい実施形態によるディスペンサ容器の構成を示す断面図である。
【００２０】
図１〜２を参照すると、本発明の好ましい実施形態によるディスペンサ容器は、容器本体１００、ポンピング部材２００、および、ボタン部材３００を含む。
【００２１】
容器本体１００は、内容物を貯蔵するもので、その内側下部には、内容物の使用によって上昇するピストン１１０を具備する。
【００２２】
本発明の図面で示した、ピストン１１０を具備する容器本体１００は、チューブ容器、ブロー成形容器等、内容物の貯蔵が可能な多様な容器で構成することができる。
【００２３】
ポンピング部材２００は、容器本体１００の上部に結合され、ポンピングによって容器本体１００に貯蔵された内容物を外部に排出させるもので、ポンプハウジング２１０、ピストンロッド２２０、シールキャップ２３０、および、弾性体２４０を含む。
【００２４】
ポンプハウジング２１０は、容器本体１００の開口された上部を閉塞して該上部に結合するもので、ポンプハウジング２１０の中央には、容器本体１００に貯蔵された内容物が流入するように、下端に内容物流入ホール２１２が形成されたシリンダ２１１を具備し、シリンダ２１１の内側下部には、ボタン部材３００の作動有無によって、内容物流入ホール２１２を開閉するチェックバルブ２１３が設置される。
【００２５】
また、ポンプハウジング２１０の内周面には、ボタン部材３００の上昇によってシールキャップ２３０が一緒に上昇する過程で、シールキャップ２３０がポンプハウジング２１０から離脱することを防止するためにシールキャップ２３０の上昇を制限する係止部２１４が形成される。
【００２６】
また、ポンプハウジング２１０の上端には、ボタン部材３００を上方に移動させる弾性体２４０の下端が受支されるように受支溝２１５が形成される。
【００２７】
一方、ポンプハウジング２１０の外側には、ボタン部材３００を覆うオーバーキャップ４００が着脱可能に結合され、オーバーキャップ４００は、未使用時にポンプハウジング２１０に結合され、ボタン部材３００の誤作動を防止し、排出ホール３１０を通って異物が流入することを防止する。
【００２８】
ピストンロッド２２０は、ボタン部材３００の結合部３２０に結合され、ボタン部材３００の昇降に伴って一緒に移動するもので、ピストンロッド２２０の下部はシリンダ２１１の内側に位置し、ピストンロッド２２０の内側には、シリンダ２１１に流入した内容物が上部に移動し、そして、ボタン部材３００の排出ホール３１０に移動するように、内容物が移動する内容物移動通路Ｓが形成される。
【００２９】
また、ピストンロッド２２０は、内容物移動通路Ｓに内容物が移動することができるように、側面下部に内容物移動ホール２２１が形成される。
【００３０】
シールキャップ２３０は、ピストンロッド２２０を覆うように備えられ、ボタン部材３００の昇降時、シリンダ２１１の内壁に沿って移動し、シリンダ２１１内部の圧力を変化させるもので、シールキャップ２３０の内側には、内容物移動ホール２２１を開閉する開閉チップ２３１を具備し、開閉チップ２３１は、未使用時には内容物移動ホール２２１の下部からピストンロッド２２０の外周面に密着し、内容物移動ホール２２１を閉栓した状態におかれる。ボタン部材３００の加圧によるピストンロッド２２０の下降時には、ピストンロッド２２０の外周面から小幅に離間され、内容物が移動する空間を形成すると同時に、内容物移動ホール２２１を開口するように構成される。
【００３１】
シールキャップ２３０は、ピストンロッド２２０の外周面に密着時柔軟に接触し、かつ、シリンダ２１１の内壁に沿って移動することが容易にできるように軟質部材で形成されることが好ましい。
【００３２】
一方、シールキャップ２３０の外周面には、係止部２１４によって係止される係止突起２３２が具備され、係止突起２３２は、シールキャップ２３０が上昇する過程で係止部２１４の下端に当接し、シールキャップ２３０の上昇を止める。
【００３３】
弾性体２４０は、ポンプハウジング２１０とボタン部材３００の間に位置し、ボタン部材３００が上方に移動するように弾性力を提供するもので、その下端は、ポンプハウジング２１０の上端に形成された受支溝２１５に受支され、その上端はボタン部材３００の内側に形成される嵌入溝３３０に固定される。
【００３４】
ボタン部材３００は、ポンピング部材２００の上部に位置し、ユーザの操作による圧力を、ポンピング部材２００に伝え、ポンピングを誘起するもので、ポンピング部材２００のポンピングによって内容物を排出するように排出ホール３１０が形成される。
【００３５】
ボタン部材３００の内側には、ピストンロッド２２０が結合される結合部３２０が下方に延在している。結合部３２０は、ボタン部材３００の下降時、シールキャップ２３０を加圧してシールキャップ２３０の下方への移動を誘導し、内容物が内容物移動通路Ｓから排出ホール３１０に移動するように、内容物移動通路Ｓと排出ホール３１０とを連通させる。
【００３６】
また、ボタン部材３００の内側上方には、弾性体２４０の上端を固定する嵌入溝３３０が形成される。
【００３７】
以下、図３および４を参照して、本発明の好ましい実施形態によるディスペンサ容器の作動状態を説明する。図３および４は、本発明の好ましい実施形態によるディスペンサ容器の作動状態を示す状態図である。図３および４を参照すると、シリンダ２１１に内容物が流入した状態で、ボタン部材３００を加圧すると、ボタン部材３００に結合されたピストンロッド２２０が、ボタン部材３００と一緒に下降する。この時、ボタン部材３００が下降する過程で、結合部３２０がシールキャップ２３０の加圧面２３３を加圧してシールキャップ２３０も下降する。
【００３８】
上記のように、ピストンロッド２２０、および、シールキャップ２３０が下降すると、シリンダ２１１内部の圧力が変化し、シリンダ２１１に流入された内容物が内容物移動ホール２２１を通って内容物移動通路Ｓに移動し、排出ホール３１０を通って外部に排出される。この時、開閉チップ２３１は、ボタン部材３００の加圧によるピストンロッド２２０の下降時、ピストンロッド２２０の外周面から小幅に離間され、内容物が移動する空間を形成するとともに、内容物移動ホール２２１を開栓する。
【００３９】
次に、ボタン部材３００の加圧を解除すると、弾性体２４０の弾性力によってボタン部材３００が上昇する。この時、ボタン部材３００に結合されたピストンロッド２２０が一緒に上昇し、ピストンロッド２２０が上昇する過程で、ピストンロッド２２０の下部が、シールキャップ２３０の開閉チップ２３１と当接し、シールキャップ２３０を上方に移動させる。
【００４０】
上記のようにシールキャップ２３０が上昇すると、チェックバルブ２１３が内容物流入ホール２１２を開放し、容器本体１００に貯蔵された内容物がシリンダ２１１に流入する。
【００４１】
以下、図５を参照して、本発明の他の実施形態によるディスペンサ容器を説明する。図５は、本発明の他の実施形態によるディスペンサ容器の構成を示す断面図である。図５を参照すると、本発明の他の実施形態によるディスペンサ容器は、容器本体１００、ポンピング部材２００、および、ボタン部材３００を含む。容器本体１００は、好ましい実施形態で前述したものと構造および機能が同一なので、以下では、ポンピング部材２００およびボタン部材３００について説明する。
【００４２】
ポンピング部材２００は、容器本体１００の上部に結合され、ポンピングによって容器本体１００に貯蔵された内容物を外部に排出させるもので、ポンプハウジング２１０、ピストンロッド２２０、シールキャップ２３０、および、弾性体２４０を含む。
【００４３】
ポンプハウジング２１０は、好ましい実施形態に関し前述したものと構造および機能が同一なので、詳細な説明は省略する。
【００４４】
ピストンロッド２２０は、ボタン部材３００の結合部３２０に結合され、ボタン部材３００の昇降に伴って一緒に移動するものである。一般的なポンプ構造では、内容物の吐出時に、内容物がピストンロッドの側面に形成された内容物移動ホールを通り、続いてピストンロッドの内側に形成される内容物移動通路を通過した後、排出が行われる。しかし、本発明の図５に示す他の実施形態では、ピストンロッド２２０の内部に内容物が移動することはなく、ピストンロッド２２０とシールキャップ２３０の間に形成される空間を通って、内容物が移動するように構成されることが特徴である。このために、シールキャップ２３０は、ピストンロッド２２０を覆って、その内周面がピストンロッド２２０の外周面と一定間隔離間して、内容物移動通路Ｓを形成するように構成される。
【００４５】
一方、シールキャップ２３０の内側下部には、内容物移動通路Ｓの下端を開閉する開閉チップ２３１が具備され、開閉チップ２３１は、未使用時にはピストンロッド２２０の下部外周面に密着し、内容物が内容物移動通路Ｓに移動することを抑止し、ボタン部材３００の加圧によるピストンロッド２２０の下降時、ピストンロッド２２０の外周面から小幅に離間され、内容物移動通路Ｓを開栓して、内容物移動通路Ｓを通って内容物が上部に移動することを可能とする。
【００４６】
シールキャップ２３０は、ピストンロッド２２０の外周面に密着時柔軟に接触することができ、かつ、シリンダ２１１の内壁に沿って移動することが容易なように軟質部材で形成されることが好ましい。
【００４７】
一方、シールキャップ２３０の外周面には、係止部２１４によって係止される係止突起２３２が具備され、係止突起２３２は、シールキャップ２３０が上昇する過程で係止部２１４の下端に当接し、シールキャップ２３０が上昇することを制限することができる。
【００４８】
弾性体２４０は、ポンプハウジング２１０とボタン部材３００の間に位置し、ボタン部材３００が上方に移動するように弾性力を提供するもので、その下端は、ポンプハウジング２１０の上端に形成される受支溝２１５に受支され、その上端はボタン部材３００の内側に具備される固定体３５０によって固定される。
【００４９】
ボタン部材３００は、ポンピング部材２００の上部に位置し、ユーザの操作による圧力をポンピング部材２００に伝えてポンピングを誘起するもので、ポンピング部材２００のポンピングによって内容物を排出するように排出ホール３１０が形成される。
【００５０】
ボタン部材３００の内側には、ピストンロッド２２０が結合される結合部３２０が下方に延在するように形成され、結合部３２０は、ボタン部材３００の下降時、シールキャップ２３０を加圧して、シールキャップ２３０の下方への移動を誘導することが特徴である。
【００５１】
結合部３２０は、排出ホール３１０側の前面部の長さは短く形成され、後面部の長さは長く形成されている。前記前面部の長さが短く形成されることで、内容物移動通路Ｓの上部を通って内容物が排出される時、排出の障害になることを防止することが可能であり、長さが長く形成された後面部によってシールキャップ２３０の加圧面２３３を加圧し、シールキャップ２３０を下方に移動させることができる。
【００５２】
一方、本発明において、ボタン部材３００の内側には、シールキャップ２３０の上部が昇降する空間が形成され、内容物移動通路Ｓと排出ホール３１０を連通させる連通管３４０が具備されることが特徴であり、シールキャップ２３０の上部は、内容物移動通路Ｓを通って排出ホール３１０に移動する内容物の液漏れを防止するために、連通管３４０の内周面に密着した状態で昇降するピストン構造で構成されることが好ましい。
【００５３】
一方、ボタン部材３００の内側には、弾性体２４０の上端を固定する固定体３５０が具備される。
【００５４】
その他、残りの構成は、本発明の好ましい実施形態で述べたものと同一であり、詳細な説明は省略する。
【００５５】
以下、図６および７を参照して、本発明の他の実施形態によるディスペンサ容器の作動状態を説明する。図６および７は、本発明の他の実施形態によるディスペンサ容器の作動状態を示す状態図である。図６および７を参照すると、シリンダ２１１に内容物が流入した状態で、ボタン部材３００を加圧すると、ボタン部材３００に結合されたピストンロッド２２０がボタン部材３００と一緒に下降する。この時、ボタン部材３００が下降する過程で、結合部３２０の後面部がシールキャップ２３０の加圧面２３３を加圧し、シールキャップ２３０も下降する。
【００５６】
上述のように、ピストンロッド２２０およびシールキャップ２３０が下降すると、シリンダ２１１内部の圧力が変化し、シリンダ２１１に流入した内容物が内容物移動通路Ｓに移動して排出ホール３１０を介して外部に排出される。この時、開閉チップ２３１は、ピストンロッド２２０の下部外周面に密着し、内容物が内容物移動通路Ｓに移動することを抑止した状態から、ボタン部材３００の結合部３２０がシールキャップ２３０の加圧面２３３から離間していた距離だけ下降する過程で、ピストンロッド２２０が先に下降することにより、ピストンロッド２２０の外周面から小幅に離間され、内容物移動通路Ｓを開放した状態になり、内容物移動通路Ｓを通って内容物が上部に移動することが可能になる。
【００５７】
次に、ボタン部材３００の加圧を解除すると、弾性体２４０の弾性力によってボタン部材３００が上昇する。この時、ボタン部材３００に結合されたピストンロッド２２０が一緒に上昇し、ピストンロッド２２０が上昇する過程で、ピストンロッド２２０の下部がシールキャップ２３０の開閉チップ２３１と当接し、シールキャップ２３０を上方に移動させる。
【００５８】
上記のようにシールキャップ２３０が上昇すると、チェックバルブ２１３が内容物流入ホール２１２を開栓して、容器本体１００に貯蔵された内容物がシリンダ２１１に流入する。
【００５９】
本発明は、上述のように、従来の複雑な構造のポンピング部材の構造を改善してポンピング部材をポンプハウジング、ピストンロッド、シールキャップ、および、弾性体で簡単に構成することにより、部品数の削減によるコスト節減が可能なだけでなく、組立工程の簡略化によって、全体的な生産時間を短縮させることができる。
【００６０】
図面と明細書で最適の実施形態を開示した。ここで特定の用語を用いたが、これは単に本発明を説明する目的で用いたものであり、意味の限定や特許請求の範囲に記載された本発明の範囲を制限するために用いたものではない。これによって、当該技術分野の通常の知識を有する者であれば、多様な変形および均等な他の実施形態が可能であることを理解できるであろう。従って、本発明の真の技術的保護範囲は、添付された特許請求の範囲の技術的思想によって定められる。
【図１】
2017528640.tif 000003
【図２】
2017528640.tif 000004
【図３】
2017528640.tif 000005
【図４】
2017528640.tif 000006
【図５】
2017528640.tif 000007
【図６】
2017528640.tif 000008
【図７】
2017528640.tif 000009
【国際調査報告】
2017528640.tif 000010
2017528640.tif 000011
2017528640.tif 000012
2017528640.tif 000013